(57)【要約】  例示の実施態様は、印刷ゾーン調整に関する。例えば、印刷ゾーン調整のシステムは、複数の印刷ゾーンと複数のファイバとを備え、複数のファイバの中の各ファイバは、複数の印刷ゾーンの中のそれぞれ異なる印刷ゾーンに割り当てられる。このシステムは、複数のファイバを用いて複数の印刷ゾーンを通る印刷ジョブを調整するスレッディング調整システムを更に備えることができる。【選択図】図２
2019526475.tif 000002
【特許請求の範囲】
【請求項１】
複数の印刷ゾーンと、
複数のファイバであって、該複数のファイバの中の各ファイバは、前記複数の印刷ゾーンの中のそれぞれ異なる印刷ゾーンに割り当てられる、複数のファイバと、
前記複数の印刷ゾーンを通る印刷ジョブを調整する、前記複数のファイバを備えるスレッディング調整システムと
を備えてなるシステム。
【請求項２】
各印刷ゾーンは、媒体の移動を検出する複数のセンサを備える、請求項１に記載のシステム。
【請求項３】
前記複数の印刷ゾーンの中の特定の印刷ゾーンに先行する印刷ゾーンからのウェイク信号の受信と、
前記特定の印刷ゾーンにおける前記センサによる前記印刷媒体の存在の検出と
に応答して、前記特定の印刷ゾーンにおけるモータを始動する前記スレッディング調整システムを備える、請求項２に記載のシステム。
【請求項４】
前記複数の印刷ゾーンの中の第１の印刷ゾーンをアクティブ状態に維持し、前記印刷ゾーンの残りの印刷ゾーンをレディ状態に維持する前記スレッディング調整システムを備える、請求項１に記載のシステム。
【請求項５】
前記複数の印刷ゾーンの中の別の印刷ゾーンがアクティブであるとの判断に応答して、前記第１の印刷ゾーンを前記レディ状態に戻す前記スレッディング調整システムを備える、請求項４に記載のシステム。
【請求項６】
印刷媒体が間もなく到着することを第２の印刷ゾーンに関連付けられたファイバに通知し、
前記通知に応答して前記第２の印刷ゾーンにおけるモータを始動する、
前記スレッディング調整システムを備える、請求項４に記載のシステム。
【請求項７】
処理リソースによって実行可能な命令を記憶している非一時的機械可読媒体であって、
印刷デバイスの第１の印刷ゾーンを第１のイベントフラグに関連付ける命令と、
前記印刷デバイスの第２の印刷ゾーンを第２のイベントフラグに関連付ける命令と、
前記第１の印刷ゾーンによって前記第２のイベントフラグの状態を特定する命令と、
前記第２の印刷ゾーンの前記第２のイベントフラグの状態に基づいて、前記第１の印刷ゾーン及び前記第２の印刷ゾーンを含む複数の印刷ゾーンを調整する命令と
を記憶している非一時的機械可読媒体。
【請求項８】
前記第２の印刷ゾーンの前記第２のイベントフラグの状態を特定する前記命令は、
前記第２の印刷ゾーンがレディ状態でないと判断する命令を含み、
前記複数の印刷ゾーンを調整する前記命令は、
前記第２の印刷ゾーンがレディ状態でないとの前記判断に応答して、前記第１の印刷ゾーンから前記第２の印刷ゾーンに印刷ジョブを進めない命令と、
前記第２の印刷ゾーンにウェイク信号を送信する命令と
を含む、請求項７に記載の媒体。
【請求項９】
前記第２のイベントフラグは、第２の印刷ゾーンがレディ状態であることを示し、
前記複数の印刷ゾーンを調整する前記命令は、前記第２の印刷ゾーンが前記レディ状態であるとの判断に基づいて、前記第１の印刷ゾーンから前記第２の印刷ゾーンに印刷媒体を進めることを含む、請求項７に記載の媒体。
【請求項１０】
第３のゾーンを第３のイベントフラグに関連付ける、前記処理リソースによって実行可能な命令を更に含み、
前記複数の印刷ゾーンを調整する前記命令は、前記第１のイベントフラグ、前記第２のイベントフラグ、及び前記第３のイベントフラグのそれぞれに基づいて、前記第１の印刷ゾーン、前記第２の印刷ゾーン、及び前記第３の印刷ゾーンを通って印刷媒体を進めることを含む、請求項７に記載の媒体。
【請求項１１】
前記複数の印刷ゾーンを調整する前記命令は、
前記第１の印刷ゾーンから前記第２の印刷ゾーンにウェイク信号を送信する命令を含む、請求項１０に記載の媒体。
【請求項１２】
前記複数の印刷ゾーンを調整する前記命令は、
先行ゾーンからウェイク信号を受信するまで、前記第２の印刷ゾーン及び前記第３の印刷ゾーンをレディ状態に維持する命令を含む、請求項１０に記載の媒体。
【請求項１３】
印刷デバイスにおける複数の印刷ゾーンを初期化するステップと、
前記複数の印刷ゾーンの中の第１の印刷ゾーンを、該第１の印刷ゾーンに関連付けられたファイバを用いてアクティブ状態に設定するステップと、
前記第１の印刷ゾーンを用いて第１の印刷命令を実行するステップと、
前記複数の印刷ゾーンの中の第２の印刷ゾーンを、該第２の印刷ゾーンに関連付けられたファイバを用いて前記アクティブ状態に設定することによって、前記複数の印刷ゾーンを調整するステップと、
前記第２の印刷ゾーンを前記アクティブ状態に前記設定することに応答して、前記第１の印刷ゾーンを前記初期状態に戻すステップと
を含んでなる方法。
【請求項１４】
前記第２の印刷ゾーンを前記アクティブ状態に前記設定することに応答して、前記第２の印刷ゾーンにおけるモータを始動することを含む、請求項１３に記載の方法。
【請求項１５】
前記第２の印刷ゾーンを前記アクティブ状態に設定することは、前記第１の印刷ゾーンが前記第２の印刷ゾーンのイベントフラグを設定することを含む、請求項１３に記載の方法。
【発明の詳細な説明】
【背景技術】
【０００１】
電力を消費するタイプの事務機器の中で、印刷デバイスは、プリンタの状態（例えば、スタンバイ、ウォームアップ、スキャン及び印刷）に依存し得る動的な電力使用を有する。その上、印刷デバイスは、印刷ジョブを完了するために連係して働く非常に多くの構成要素から構成され得る。
【図面の簡単な説明】
【０００２】
【図１】本開示による一例示のシステムを示す図である。
【図２】本開示による印刷ゾーン調整の一例示のシステムを更に示す図である。
【図３】本開示による印刷ゾーン調整の一例示のシステムのブロック図である。
【図４】本開示による印刷ゾーン調整の一例示の方法を示す図である。
【発明を実施するための形態】
【０００３】
印刷デバイスは、印刷媒体の複数のページをハンドリングすることができる。そのような印刷デバイスは、様々な機構を用いて印刷デバイス内の印刷媒体の搬送を調整することができる。しかしながら、そのような印刷デバイスは、媒体ハンドリング及び電力使用量の現在の要求を満たしていない場合がある。本開示は、本明細書において「印刷デバイス」に言及しているが、本開示は、とりわけ「仕上げデバイス」等の印刷しないデバイスにも等しく適用されることが理解されるであろう。
【０００４】
本開示による印刷ゾーン調整は、印刷デバイスのゾーン間を個別に切り替えることを可能にすることができる。本開示によれば、印刷デバイスを、ファイバ（fibers）と呼ばれる協調的なスレッディングシステムによって管理することができるサブシステムへと分割することができる。ファイバは、これらのゾーンを管理することができ、印刷媒体のページがそれぞれのゾーンにまさに入ろうとしているときにウェイクアップして動作することができる。各ゾーンのファイバは、印刷媒体のページがそのゾーンから出て行くとアイドル状態に戻ることができる。本開示による印刷ゾーン調整は、印刷デバイスが一度に最小のエネルギー使用量で印刷媒体の複数のページをハンドリングすることを可能にすることができる。
【０００５】
図１は、本開示による一例示のシステム１００の図を示している。図１に示すように、システム１００は、複数の印刷ゾーン１０１−１、１０１−２、．．．１０１−Ｎ（印刷ゾーン１０１と総称される）を備えることができる。図１は、３つの印刷ゾーン１０１を示しているが、具体例はそのように限定されるものではなく、システム１００は、図示したものよりも多くの又は少ない印刷ゾーン１０１を備えることができる。本明細書に用いられるような印刷ゾーンは、印刷に関係したタスクを実行する印刷デバイスのサブシステムを指す。印刷ゾーンの例は、とりわけ、デスキュー（deskew）ゾーン、印刷ゾーン、デュプレックスエントリ（duplex entry）ゾーン、及びスレッディング制御（threading control）ゾーンを含みうる。本明細書において論述するように、システム１００は、印刷デバイス内の印刷ゾーン間の切り替えを可能にすることができる。すなわち、システム１００は、単一のゾーンが、他の全てのゾーンが低電力状態にある間動作することを可能にすることができる。したがって、各印刷ゾーンは、媒体の移動を検出する複数のセンサを備えることができる。すなわち、複数の印刷ゾーン１０１のそれぞれは、用紙等の媒体がその印刷ゾーンから離れていく時を特定する１つ又は複数のセンサを有することができる。
【０００６】
図１に示すように、システム１００は、複数のファイバ１０３−１、１０３−２、．．．、１０３−Ｍ（本明細書では、ファイバ１０３と総称される）も備えることができる。本明細書に用いられるようなファイバは、他のファイバとの協調的マルチタスクを可能にする命令実行の軽量スレッドを指す。複数のゾーン１０１のそれぞれは、ファイバに関連付けることができる。すなわち、複数のファイバ１０３の中の各ファイバは、複数の印刷ゾーン１０１の中のそれぞれ異なる印刷ゾーンに割り当てることができる。複数のファイバ１０３は、それぞれ或る印刷ゾーンを担当することができ、使用されていないときは低電力状態、すなわち「レディ」状態に留まることができる。すなわち、特定の印刷ゾーンのファイバは、印刷媒体のページがまさにその印刷ゾーンに入ろうとしているとき、「ウェイクアップ」するか又はアクティブになることができる。例えば、ファイバ１０３−２は、印刷ゾーン１０１−２を担当することができる。ファイバ１０３−２は、印刷媒体がまさに印刷ゾーン１０１−２に入ろうとするまでレディ状態に留まることができ、入った時点において、ファイバ１０３−２はアクティブ状態に入ることができる。本明細書に用いられるようなファイバの「レディ」状態は、ファイバが入力に応答して動作を開始することができるファイバの初期状態又は低電力状態を指す。本明細書において説明するように、ファイバは、イベントフラグの変化に応答してレディ状態からアクティブ状態に移行することができる。
【０００７】
システム１００は、複数のファイバ１０３を用いて複数の印刷ゾーン１０１を通る印刷ジョブを調整する、複数のファイバを備えるスレッディング調整システム１０５を備えることができる。図１は、スレッディング制御システム１０５を、印刷ゾーン１０１及びファイバ１０３とは別の構成要素として示しているが、スレッディング調整システム１０５がファイバ１０３を備えることが理解されよう。すなわち、スレッディング調整システム１０５は、システム１００のゾーン１０１間で通信するファイバ及び他のコンピューティングリソースのシステムを指す。幾つかのファイバは、システム１００内の中央ロケーションに配置することができるが、幾つかのファイバは、図示するように各ゾーン内に配置することができる。複数のファイバ１０３は、印刷媒体が関連印刷ゾーンに入ろうとしていることをスレッディング調整システム１０５によって通知されるまで、レディ状態に留まることができる。この通知に応答して、スレッディング調整システム１０５は、ファイバ１０３を介して、複数の印刷ゾーン１０１の中の特定の印刷ゾーンに先行する印刷ゾーンからのウェイク信号の受信に応答して、上記特定の印刷ゾーンにおけるモータを始動することができる。例えば、印刷ジョブは、印刷ゾーン１０１−１を通り、次に印刷ゾーン１０１−２を通り、次に印刷ゾーン１０１−１を通って進行することができる。したがって、印刷媒体が印刷ゾーン１０１−１にいる間、ファイバ１０３−１はアクティブであることができる一方、ファイバ１０３−２及び１０３−Ｍはレディ状態に留まっている。ゾーン１０１−２は、印刷媒体が印刷ゾーン１０１−２に到着しつつあることと、ファイバ１０３−２がアクティブ状態に移行すべきであることとを示す信号をイベントフラグの形態で印刷ゾーン１０１−１から受信することができる。その上、印刷ゾーン１０１−１及び１０１−２におけるセンサは、印刷媒体のロケーションについての情報をそれぞれの印刷ゾーンに提供することができる。すなわち、印刷ゾーン１０１−１は、印刷媒体の到着及び／又は出発を検出する１つ又は複数のセンサを有することができる。同様に、印刷ゾーン１０１−１及び１０１−Ｎも、印刷媒体の到着及び／又は出発を検出する１つ又は複数のセンサを有することができる。そのようにして、スレッディング調整システム１０５は、特定の印刷ゾーンにおけるセンサによる印刷媒体の存在の検出に応答して、その特定の印刷ゾーンにおけるモータを始動することができる。
【０００８】
言い換えれば、システム１００におけるファイバが、印刷すべき別のページ、動作させるべきモータ、又はアクティブ状態に切り替えるべき別の印刷ゾーン等のシステム１００の別の構成要素を待機しているときはいつでも、この待機しているファイバは、待機中、他のファイバが動作することを可能にする。そのようにして、待機しているファイバはレディ状態で待機し、中央処置装置（ＣＰＵ）のリソースを占有せず、システム１００における他のプロセスの実行を可能にする。したがって、スレッディング調整システム１０５は、複数の印刷ゾーン１０１の中の第１の印刷ゾーンをアクティブ状態に維持するとともに、印刷ゾーン１０１の残りをレディ状態に維持することができる。その上、スレッディング調整システム１０５は、複数の印刷ゾーン１０１の中の別の印刷ゾーンがアクティブであるとの判断に応答して、第１の印刷ゾーンにおけるファイバを介して第１の印刷ゾーンをレディ状態に戻すことができる。具体例は、残りがレディ状態にある間に単一のゾーンをアクティブ状態に維持することに限定されるものではない。例えば、残りがレディ状態である間、複数の印刷ゾーンがアクティブ状態であることができる。そのようにして、システム１００は、使用するエネルギー及び使用するＣＰＵリソースをより少なくすることができる。
【０００９】
スレッディング通信システム１０５は、イベントフラグが設定されているときにファイバ１０３をウェイクアップさせるイベントフラグを用いて印刷ゾーン１０１間の切り替えを調整することができる。イベントフラグは、印刷ゾーン間の通信に用いることができる。すなわち、スレッディング調整システム１０５を用いて、印刷ゾーン１０１−２に関連付けられたイベントフラグを設定することができる。このイベントフラグの設定は、印刷ジョブが印刷ゾーン１０１−２に到着しつつあることを示す。印刷ゾーン１０１−２のイベントフラグの設定に応答して、ファイバ１０３−２をアクティブに設定することができ、印刷ゾーン１０１−２に関連したモータを始動することができる。このように、スレッディング通信システム１０５は、印刷媒体が間もなく到着することを第２の印刷ゾーンに関連付けられたファイバに通知し、通知に応答して第２の印刷ゾーンにおけるモータを始動することができる。
【００１０】
図２は、本開示による印刷ゾーン調整の一例示のシステム２００の図を更に示している。システム２００は、図１に示すシステム１００と類似することができる。図２に示すとともに図１に関して論述したように、システム２００は、複数の印刷ゾーンを備えることができ、各印刷ゾーンは、関連付けられたファイバによって管理することができる。
【００１１】
例えば、システム２００は、デュプレックスイグジット（duplex exit）ゾーン２１１−１及びデュプレックスエントリゾーン２１１−２を備えることができる。これらの双方は、デュプレックスフォームで印刷するのに用いることができる。ゾーン２１１−１及び２１１−２は、それぞれファイバ２１３−１及び２１３−２によって管理することができる。同様に、システム２００は、デスキューゾーン２１１−３及び画像処理ゾーン２１１−４を備えることができる。その上、システム２００は、システム２００内で垂直位置に媒体を通過させる垂直ゾーン２１１−５と、媒体を出力トレーにフィードする出力ゾーン２１１−６とを備えることができる。ゾーン２１１−３、２１１−４、２１１−５、及び２１１−６のそれぞれは、それぞれ関連付けられたファイバ２１３−３、２１３−４、２１３−５、及び２１３−６によって管理することができる。
【００１２】
特に、システム２００は、図２に示すものよりも多くのゾーン、図２に示すものよりも少ないゾーン、及び／又は図２に示すものと異なるゾーンを備えることができる。例えば、システム２００は、媒体入力トレーを制御するトレーゾーンと、一組の命令の選択を制御するピッカ（picker）ゾーンと、媒体トレーを更に制御する入力経路ゾーンと、仕上げプロセスを制御する仕上げ機ゾーンとを備えることができる。
【００１３】
その上、スレッド調整システム２０５も、印刷ゾーン及び関連付けられたファイバを備えることができる。例えば、スレッド調整システム２０５は、サービス提供ゾーン２１１−７及びエラーゾーン２１１−Ｒを備えることができ、各ゾーンは、それぞれのファイバ２１３−７及び２１３−Ｐによってそれぞれ管理される。本明細書に用いられるようなエラーゾーンは、システム２００内のエラーを検出して報告するスレッディング調整システムの部分を指す。図２は、スレッディング調整システム２０５に含まれる２つの印刷ゾーンを示しているが、具体例はそのように限定されるものではなく、システム２００は、図示するものよりも多くの印刷ゾーン又は少ない印刷ゾーンを備えることができる。例えば、スレッディング制御システム２０５は、とりわけ、ページゾーン、ページトラッカゾーン、電力回復ゾーン、及び／又はモニタゾーンも備えることができる。この場合も、それぞれの各ゾーンは、異なるそれぞれのファイバによって管理することができる。
【００１４】
本明細書において説明するように、印刷ジョブがシステム２００内を進むにつれて、各ゾーンをそれぞれのファイバを用いてアクティブ化することができる。例えば、印刷中、画像処理ゾーン２１１−４は、自身をアクティブに設定して、別のページをハンドリングする準備ができていないことをシステム２００内の他の全てのゾーンに示すことができる。画像処理ゾーン２１１−４が、次のゾーン、例えば垂直ゾーン２１１−５にページを引き渡す準備ができると、画像処理ゾーン２１１−４は、垂直ゾーン２１１−５のステータスを確認することができる。垂直ゾーン２１１−５がレディ状態にある場合、画像処理ゾーン２１１−４は、ファイバ２１３−４内のイベントフラグを設定して、印刷ジョブが垂直ゾーン２１１−５にまもなく到着することをファイバ２１３−５に示すことによって垂直ゾーン２１１−５に通知することができる。ファイバ２１３−４は、スレッド調整システム２０５とのこの通信を調整することができる。画像処理ゾーン２１１−４は、次に、垂直ゾーン２１１−５への印刷媒体の移動を開始することができ、ファイバ２１３−４のイベントフラグを「アクティブ」状態から「レディ」状態に戻して、画像処理ゾーン２１１−４が印刷ジョブを再度受理することができることを示すことができる。ファイバ２１３−４のイベントフラグは、用紙が画像処理ゾーン２１１−４から離れたことが画像処理ゾーン２１１−４内のセンサによって検出されると、レディ状態に戻すことができる。このプロセスは、印刷媒体をシステム２００に通し、イベントフラグを用いてファイバをアクティブ又はレディに設定することによって継続することができる。
【００１５】
図３は、本開示による印刷ゾーン調整の一例示のシステム３２０のブロック図である。システム３２０は、図１に示すシステム１００及び図２に示すシステム２００と同じものとすることもできるし、異なるものとすることもできる。システム３２０は、少なくとも１つのリモートシステムと通信することが可能な少なくとも１つのコンピューティングデバイスを備えることができる。図３の例では、システム３２０は、プロセッサ３２１及び機械可読媒体３２３を備える。以下の説明は単一のプロセッサ及び単一の機械可読媒体に言及しているが、これらの説明は、複数のプロセッサ及び機械可読媒体を有するシステムにも適用することができる。そのような例では、命令を複数の機械可読媒体にわたって分散させる（例えば、記憶する）ことができ、命令を複数のプロセッサにわたって分散させる（例えば、複数のプロセッサによって実行する）ことができる。
【００１６】
プロセッサ３２１は、機械可読媒体３２３に記憶された命令の取り出し及び実行に適した１つ以上の中央処置装置（ＣＰＵ）、マイクロプロセッサ、及び／又は他のハードウェアデバイスとすることができる。図３に示す特定の例では、プロセッサ３２１は、印刷ゾーン調整の命令３２５、３２７、３２９、及び３３１を受信、決定、及び送信することができる。命令の取り出し及び実行に代えて又はこれらに加えて、プロセッサ３２１は、機械可読媒体３２３内の命令のうちの１つ以上の機能を実行する或る数の電子構成要素を備える１つ以上の電子回路を含みうる。本明細書において説明及び図示する実行可能命令の表現（例えば、ボックス）に関して、１つのボックス内に含まれる実行可能命令及び／又は電子回路の一部又は全ては、代替の実施形態では、図に示す異なるボックス又は図示しない異なるボックスに含まれる場合があることが理解されるべきである。
【００１７】
機械可読媒体３２３は、実行可能命令を記憶する任意の電子記憶デバイス、磁気記憶デバイス、光記憶デバイス、又は他の物理記憶デバイスとすることができる。したがって、機械可読媒体３２３は、例えば、ランダムアクセスメモリ（ＲＡＭ）、電気的消去可能プログラマブル読み出し専用メモリ（ＥＥＰＲＯＭ）、記憶ドライブ、光ディスク等とすることができる。機械可読媒体３２３は、図３に示すように、システム３２０内に配置することができる。この状況では、実行可能命令は、システム３２０に「インストール」することができる。加えて及び／又は代替的に、機械可読媒体３２３は、例えば、システム３２０がポータブル記憶媒体／外部記憶媒体／リモート記憶媒体から命令をダウンロードすることを可能にするポータブル記憶媒体、外部記憶媒体又はリモート記憶媒体とすることができる。この状況では、実行可能命令は、「インストールパッケージ」の一部とすることができる。本明細書において説明するように、機械可読媒体３２３は、印刷ゾーン調整の実行可能命令を用いてコード化することができる。
【００１８】
図３を参照すると、命令３２５は、プロセッサ（例えば、３２１）によって実行されると、印刷デバイスの第１の印刷ゾーンと第１のイベントフラグとの関連付けをシステム３２０に行わせることができる。例えば、図２に関して説明したように、各印刷ゾーンは、ファイバによって管理することができ、各ファイバは、そのファイバ（及び、それによってゾーン）のステータスを他の全てのファイバに示すイベントフラグを有することができる。同様に、命令３２７は、プロセッサ３２１によって実行されると、印刷デバイスの第２の印刷ゾーンと第２のイベントフラグとの関連付けをシステム３２０に行わせることができる。本明細書において説明するように、各イベントフラグは、関連付けられたファイバ及びゾーンの状態を示すことができる。すなわち、第２の印刷ゾーンのイベントフラグは、第２の印刷ゾーンがレディ状態にあることを示すことができる。第２の印刷ゾーンがレディ状態にあることが示されていることに応答して、印刷ジョブの調整は、印刷媒体を第１の印刷ゾーンから第２の印刷ゾーンに進めることを含みうる。すなわち、第２の印刷ゾーンがレディ状態にない場合、媒体は、第２の印刷ゾーンに進むことができない。
【００１９】
命令３２９は、プロセッサ３２１によって実行されると、システム３２０に、第２のイベントフラグの状態を第１の印刷ゾーンによって特定させることができる。例えば、第２の印刷ゾーンの状態を特定する命令３２９は、第２の印刷ゾーンがレディ状態にないと判断する命令を含みうる。第２の印刷ゾーンがレディ状態にないとの判断に応答して、印刷ジョブの調整は、印刷ジョブを第１の印刷ゾーンから第２の印刷ゾーンに進めないことを含みうる。そのような場合には、第１の印刷ゾーンは、第２の印刷ゾーンがレディ状態に移行し、印刷ジョブを進めることができるように、ウェイク信号を第２の印刷ゾーンに送信することができる。したがって、命令３３１は、プロセッサ３２１によって実行されると、第１の印刷ゾーン及び第２の印刷ゾーンを通る印刷ジョブを第２の印刷ゾーンの状態に基づいてシステム３２０に調整させることができる。すなわち、第２の印刷ゾーンがレディ状態にある場合、印刷ジョブは、図２に関して説明したように、第１の印刷ゾーンから第２の印刷ゾーンに進むことができる。
【００２０】
本明細書では、印刷ジョブを「第１」の印刷ゾーンから「第２」の印刷ゾーンに移動させることに言及しているが、具体例はそのように限定されるものではなく、同じ説明は、後続の印刷ゾーンにも適用される。例えば、幾つかの例では、システム３２０は、プロセッサ３２１によって実行されると、システム３２０に、第３の印刷ゾーンと第３のイベントフラグとの関連付けを行わせ、第１の印刷ゾーン、第２の印刷ゾーン、及び第３の印刷ゾーンを通る印刷ジョブを第１のイベントフラグ、第２のイベントフラグ、及び第３のイベントフラグのそれぞれに基づいて調整させることができる命令（図３に図示せず）を含みうる。すなわち、図２に関して説明したように、第１の印刷ゾーンは、ウェイク信号を第２の印刷ゾーンに送信するイベントフラグを設定することができる。同様に、第２の印刷ゾーンは、ウェイク信号を第３の印刷ゾーンに送信するイベントフラグを設定することができる。すなわち、第２の印刷ゾーン及び第３の印刷ゾーンは、先行ゾーンからウェイク信号が受信されるまでレディ状態に維持することができる。
【００２１】
図４は、本開示による印刷ゾーン調整の一例示の方法４４０を示している。４４１において、方法４４０は、印刷デバイス内の複数の印刷ゾーンを初期化することを含む。本明細書において説明するように、複数の印刷ゾーンを初期化することは、各状態が命令を受信するとアクティブ状態に移行することができるように、印刷ゾーンのそれぞれを「レディ」状態に設定することを指す。
【００２２】
４４３において、方法４４０は、複数の印刷ゾーンの中の第１の印刷ゾーンを、この第１の印刷ゾーンに関連付けられたファイバを用いてアクティブ状態に設定することを含みうる。図１及び図２に関して説明したように、各印刷ゾーンは、異なるそれぞれのファイバによって管理することができる。また、図１及び図２に関して説明したように、４４５において、方法４４０は、第１の印刷ゾーンを用いて第１の印刷命令を実行することを含みうる。すなわち、各印刷ゾーンは、印刷ジョブの完了に関係した異なるそれぞれのタスクを実行することができる。印刷ジョブが、それぞれの印刷ゾーンによって処理されるとき、その特定の印刷ゾーンの動作に関係した命令を実行することができる。
【００２３】
４４７において、方法４４０は、複数の印刷ゾーンの中の第２の印刷ゾーンを、この第２の印刷ゾーンに関連付けられたファイバを用いてアクティブ状態に設定することを含みうる。すなわち、第１の印刷ゾーンに関連した命令が実行されると、印刷ジョブがまもなく到着することを第２の印刷ゾーンに示すイベントフラグを第１の印刷ゾーンにおいて設定することができる。したがって、方法４４０は、第１の印刷ゾーンが第２の印刷ゾーンのイベントフラグを設定することによって第２の印刷ゾーンをアクティブ状態に設定することを含みうる。すなわち、第１の印刷ゾーンから受信されたウェイク信号に応答して、第２の印刷ゾーン（及び関連付けられたファイバ）に関連付けられたイベントフラグをアクティブに設定して、第２の印刷ゾーンが、現在、印刷ジョブを完了する命令をアクティブに実行していることを示すことができる。
【００２４】
幾つかの例では、方法４４０は、第２の印刷ゾーンをアクティブ状態に設定することに応答して第１の印刷ゾーンを初期状態に戻すことを含みうる。すなわち、印刷ジョブが後続の印刷ゾーンに進むと、先行印刷ゾーンは、初期状態、すなわち「レディ」状態に戻り、それによって、ＣＰＵリソース及びエネルギーを保存することができる。
【００２５】
幾つかの例では、方法４４０は、後続の印刷ゾーンをアクティブ状態に設定することに応答して、その印刷ゾーンにおけるモータを始動することを含みうる。例えば、この方法は、本明細書において説明するように、第２の印刷ゾーンをアクティブ状態に設定することに応答して、第２の印刷ゾーンにおけるモータを始動することを含みうる。
【００２６】
本開示の上記詳細な説明では、本開示の一部をなす添付図面への言及がなされている。添付図面には、例示として、本開示の例をどのように実施することができるのかが示されている。これらの例は、当業者が本開示の例を実施することができるように十分詳細に説明されており、他の例を利用することができること、並びに、本開示の範囲から逸脱することなく、プロセスの変更、電気的な変更、及び／又は構造的な変更を行うことができることが理解されるであろう。
【００２７】
本明細書における図は、番号付けの慣例に従っており、最初の桁は図面の図番に対応し、残りの桁は図面における要素又は構成要素を特定する。本明細書における様々な図に示す要素は、本開示の或る数の追加例を提供するために追加、交換、及び／又は削除することができる。加えて、図に提供された要素の大きさ及び相対縮尺は、本開示の例を示すことを意図したものであり、限定的な意味に解釈されるべきでない。特に図面における参照符号に関して本明細書において用いられるような指示子「Ｎ」、「Ｍ」、「Ｐ」、及び「Ｒ」は、そのような指示子が付された或る数の特定の特徴部を、本開示の例を用いて含めることができることを示している。本明細書において用いられるような「或る数」の要素及び／又は特徴部は、そのような要素及び／又は特徴部のうちの１つ以上を指すことができる。
【図１】
2019526475.tif 000003
【図２】
2019526475.tif 000004
【図３】
2019526475.tif 000005
【図４】
2019526475.tif 000006
【国際調査報告】
2019526475.tif 000007